(57)【要約】【課題】フィードトレイの後端部へ搬送対象物が漏れ出ないようにする。【解決手段】メインシャフト７の回転に同期してフィードトレイ４を前後方向に往復移動させるようにしてあるレシプロフィーダＩを、ホッパ３の下方位置に、ホッパ３の後部スカート１９の下端にフィードトレイ４の内底部が接近するよう設置する。ホッパ３の後部スカート１９の後側近傍位置に、シール用扉体２２を昇降可能に配置する。シール用扉体２２は、メインシャフト７と同期して回転させられるカム軸２６，２７上のカム２５に、シール用扉体２２に取り付けてあるカムシート２９，３０を接触させることにより昇降できるようにする。フィードトレイ４の後進時には、シール用扉体２２をフィードトレイ４の内底面に接触するよう下降させ、フィードトレイ４の前進時にはシール用扉体２２を引き上げてフィードトレイ４の内底面との間に隙間を形成させる。【選択図】        図１
2004315150.tif 000002
【特許請求の範囲】
【請求項１】
ホッパの後部スカート部を、該ホッパの下方位置に設置してあるレシプロフィーダのフィードトレイの後進時には該フィードトレイの内底面と接する位置まで下降させ、上記フィードトレイの前進時には該フィードトレイの内底面より所要の隙間を隔てた上方位置まで上昇させるようにした構成を有することを特徴とするレシプロフィーダ後部のシール装置。
【請求項２】
ホッパの後部スカート部に沿わせてシール用扉体を昇降可能に備え、該シール用扉体を、該ホッパの下方位置に設置してあるレシプロフィーダのフィードトレイの後進時には該フィードトレイの内底面と接する位置まで下降させ、上記フィードトレイの前進時には該フィードトレイの内底面より所要の間隔を隔てた上方位置まで上昇させるようにした構成を有することを特徴とするレシプロフィーダ後部のシール装置。
【請求項３】
駆動装置により回転駆動されるメインシャフトとフィードトレイの間に、該メインシャフトの回転運動をフィードトレイの往復運動に変換させるクランク機構が備えてあるレシプロフィーダの上記メインシャフトの回転により回転させられるカムによりホッパの後部スカート部又はシール用扉体を、昇降移動させるようにした請求項１又は２記載のレシプロフィーダ後部のシール装置。
【発明の詳細な説明】
【０００１】
【発明の属する技術分野】
本発明はホッパの下方位置に設けてあるレシプロフィーダにてホッパ内の搬送対象物を所要量ずつ送り出すときに、該搬送対象物が上記レシプロフィーダの後部側へ漏れるのを防止するためのレシプロフィーダ後部のシール装置に関するものである。
【０００２】
【従来の技術】
所要の粒径を有する原料を投入して一旦貯留できるようにしてある原料投入用のホッパの下方位置にて、該ホッパの下端開口から上記原料を搬送対象物として所要量ずつ搬送して、下流側に設けてあるコンベヤ等の下流側機器へ送り出すことができるようにしてあるフィーダの一つに、図４（イ）（ロ）及び図５にその一例の概略を示す如きレシプロフィーダＩがある。
【０００３】
かかるレシプロフィーダＩは、以下の構成としてある。すなわち、前方（搬送方向下流側）が低くなるように上面を所要角度傾斜させてなるフレーム構造の架台１上に、前後方向のレール２を設けて、該レール２上に、ホッパ３の下端開口３ａ部が相対移動する範囲を覆い得る大きさを有し且つ左右両側壁４ａと後側壁４ｂを備えて前端部の開放された盆型のフィードトレイ４を、該フィードトレイ４の下面側に取り付けられたローラ５を介し前後方向スライド自在に載置し、且つ上記架台１の後部上側の左右両側部に設けた軸受６に、左右方向に延びるメインシャフト７の両端側を回転自在に支持させて、各軸受６の外側に突出する上記メインシャフト７の両端部に、偏心軸９と、該偏心軸９に一端部を回転自在に取り付けたコネクティングロッド１０とからなるクランク機構８の偏心軸９を取り付けると共に、該クランク機構８のコネクティングロッド１０の他端部を、上記フィードトレイ４の後部に揺動自在に連結してある。更に、上記メインシャフト７の中間部に一体に取り付けたスプロケット１１と、上記架台１の後端部上側に設置してある減速機１２の出力軸１２ａに取り付けたスプロケット１３に、ドライブチェーン１４を無端状に掛け回してある。又、上記減速機１２の入力軸１２ｂに取り付けたプーリ１５と、架台１の後部内側に設置してあるモータの如き駆動装置１６の出力軸１６ａに取り付けたプーリ１７に、無端状のベルト１８を掛け回した構成としてある。よって、上記駆動装置１６によりプーリ１５，１７及びベルト１８を介しベルトドライブされる減速機１２の出力軸１２ａより、スプロケット１１，１３及びドライブチェーン１４を介して伝達される回転駆動力によってメインシャフト７を回転駆動させ、このメインシャフト７の回転運動を、クランク機構８により往復運動に変換させて上記フィードトレイ４へ伝達させることにより、該フィードトレイ４を、レール２上にて前後方向へ所要のストロークで往復移動させることができるようにしてある。
【０００４】
したがって、上記フィードトレイ４の上側にホッパ３の下端開口３ａを配置させ、且つ該ホッパ３の下端開口３ａにおける後端縁部には、下端がフィードトレイ４の内底面に近接するよう垂下する後部スカート１９を設けた構成とすることにより、フィードトレイ４が前進するときには、ホッパ３内に貯留された搬送対象物２０を該ホッパ３の下端開口３ａを通してフィードトレイ４上に所定量排出させ、フィードトレイ４が後退するときには、上記ホッパ３の後部スカート１９にて、フィードトレイ４上に載置されている搬送対象物２０が該フィードトレイ４の後退に伴って後退することを阻止させるようにすることにより、フィードトレイ４の往復運動によって上記ホッパ３内よりフィードトレイ４上に受けられる搬送対象物２０を徐々に前方へのみ移送させて、この前方へ送られる搬送対象物２０を、フィードトレイ４の前端部より落下排出させることで、該フィードトレイ４の前端部の下方位置に配置してある図示しない下流側機器へ供給できるようにしてある。
【０００５】
ところで、上記ホッパ３の後部スカート１９の下端と、フィードトレイ４の内底面との間には、両者の相対移動を可能とするための一定の隙間が必要となっている。しかし、この隙間の存在は、搬送対象物２０のフィードトレイ４後部側への漏れにつながるためにシールすることが望まれる。
【０００６】
この場合、搬送手段の移動により搬送対象物を移送させるようにしてある搬送装置において、上記搬送手段に付着した搬送対象物が、搬送手段の移動により望ましくない個所へ随伴されるのを防止するためのシール手法の一つとしては、上記移動する搬送手段の表面に、固定側に取り付けてあるスクレーパの如き固定部材を接触させて摺動させることにより、上記搬送手段に付着した搬送対象物を掻き取るようにすることが従来知られていることに鑑みて（たとえば、特許文献１参照）、従来のレシプロフィーダＩでは、ホッパ３の後部スカート１９の下端部後側に、横方向に延びるゴム棒２１を、該ゴム棒２１の下端がフィードトレイ４の内底面に接するよう後部スカート１９の幅方向の全長に亘って取り付けた構成として、フィードトレイ４がホッパ３の後部スカート１９に対し相対移動するときには、上記ゴム棒２１の下端をフィードトレイ４の内底面に摺接させることで、上記ホッパ３の後部スカート１９の下端と、フィードトレイ４の内底面との隙間をシールすることができるようにしていた。
【０００７】
【特許文献１】
実開昭６０−１１９０１２号公報
【０００８】
【発明が解決しようとする課題】
ところが、上記従来のゴム棒２１を用いたレシプロフィーダＩの後部側のシール装置では、フィードトレイ４が往復運動を繰り返すうちに、図４（ロ）に二点鎖線で示す如く、上記ゴム棒２１の下端部が摩耗してしまい、この摩耗したゴム棒２１の下端とレシプロフィーダ４の内底面との間に隙間が生じるようになってしまうという問題があり、この隙間を通して搬送対象物２０がホッパ３の後部スカート１９よりも後側へ連続的に漏れ出てくるようになると、この漏れ出た搬送対象物２０が、図４（ロ）に二点鎖線で示す如く、フィードトレイ４の後端部、すなわち、該フィードトレイ４の後側壁４ｂと、ホッパ３の後部スカート１９の後側面との間に溜まり、この溜まった搬送対象物２０がフィードトレイ４の後側壁４ｂを越えてこぼれ落ちるようになるため、床の清掃が頻繁に必要となるという問題がある。又、上記のようにフィードトレイ４の後端部に溜まった搬送対象物２０が、フィードトレイ４の往復運動に伴って、フィードトレイ４の後側壁とホッパ３の後部スカート１９の後側面との間で圧縮（パッキング）されると、フィードトレイ４の往復運動が阻害されて、機器に無理な力が加わり、異常音の原因となったり、駆動装置１６の負荷が上昇し、たとえば、該駆動装置１６がモータの場合には、電流値が上昇してしまうという虞も懸念される。
【０００９】
そこで、本発明は、レシプロフィーダのフィードトレイ上にて、搬送対象物がホッパの後部スカートよりも後方となるフィードトレイ後端部へ漏れ出ることを抑制できて、フィードトレイの後側壁と、ホッパの後部スカートとの間に、搬送対象物が溜まる虞を解消できるレシプロフィーダ後部のシール装置を提供しようとするものである。
【００１０】
【課題を解決するための手段】
本発明は、上記課題を解決するために、ホッパの後部スカート部を、該ホッパの下方位置に設置してあるレシプロフィーダのフィードトレイの後進時には該フィードトレイの内底面と接する位置まで下降させ、上記フィードトレイの前進時には該フィードトレイの内底面より所要の隙間を隔てた上方位置まで上昇させるようにした構成、又は、ホッパの後部スカート部に沿わせてシール用扉体を昇降可能に備え、該シール用扉体を、該ホッパの下方位置に設置してあるレシプロフィーダのフィードトレイの後進時には該フィードトレイの内底面と接する位置まで下降させ、上記フィードトレイの前進時には該フィードトレイの内底面より所要の間隔を隔てた上方位置まで上昇させるようにした構成とする。
【００１１】
ホッパ内に貯留された搬送対象物を所定量ずつ送り出すべくレシプロフィーダを運転するときに、該フィードトレイを前進させると、ホッパ内の搬送対象物が該ホッパの下端開口より所定量ずつフィードトレイ上に受けられるようになる。次に、フィードトレイを後退させると、この際、ホッパ下端部の後端側では、後部スカート部又はシール用扉体がフィードトレイの内底面に接するまで下降させられているため、上記フィードトレイ上に載置されている搬送対象物が、該フィードトレイと一緒に後退することは、上記ホッパの後部スカート部又はシール用扉体により阻止され、これにより、フィードトレイの前後方向への往復移動により該フィードトレイ上の搬送対象物は前方へ順次移送されるようになる。又、上記フィードトレイの後退時に、フィードトレイの内底面に付着した搬送対象物が、フィードトレイの内底面と、該内底面に接する位置まで下降させたホッパの後部スカート部又はシール用扉体の下端との間を通過して上記ホッパの後部スカート部又はシール用扉体の後方へ移送されたとしても、フィードトレイの前進時には、上記ホッパの後部スカート部又はシール用扉体がフィードトレイの内底面と所要の隙間を隔てた位置まで上昇させられるため、上記ホッパの後部スカート部又はシール用扉体の後方へ移送されたフィードトレイ表面の搬送対象物は、上記ホッパの後部スカート部又はシール用扉体に阻害されることなくフィードトレイと一緒にホッパの後部スカート部又はシール用扉体の前側へ戻される。したがって、上記ホッパの後部スカート部又はシール用扉体よりも後方となるフィードトレイの後端部側へ搬送対象物が漏れ出て溜まる虞は未然に防止されるようになる。
【００１２】
更に、駆動装置により回転駆動されるメインシャフトとフィードトレイの間に、該メインシャフトの回転運動をフィードトレイの往復運動に変換させるクランク機構が備えてあるレシプロフィーダの上記メインシャフトの回転により回転させられるカムによりホッパの後部スカート部又はシール用扉体を、昇降移動させるようにした構成とすることにより、フィードトレイの前後方向への往復移動に同期して扉体を昇降移動させるための機構を容易に構成することができる。
【００１３】
【発明の実施の形態】
以下、本発明の実施の形態を図面を参照して説明する。
【００１４】
図１（イ）（ロ）乃至図３（イ）（ロ）は本発明のレシプロフィーダ後部のシール装置の実施の一形態を示すもので、図４（イ）（ロ）及び図５に示したと同様に、ホッパ３の下方位置に、該ホッパ３の後部スカート１９の下端とフィードトレイ４の内底部との間に所要の隙間が形成されるようレシプロフィーダＩを設けた構成において、ホッパ３の後部スカート１９の下端部の後側近傍位置に、上記レシプロフィーダＩのフィードトレイ４の前後運動に同期して昇降移動可能なシール用扉体２２を備えた構成として、上記フィードトレイ４の後退時には、上記シール用扉体２２を、下端がフィードトレイ４の内底面に接するように下降させることにより、ホッパ３の後部スカート１９の下端と、上記フィードトレイ４の内底面との隙間をシールできるようにし、且つフィードトレイ４の前進時には、上記シール用扉体２２を上昇させて、該扉体２２の下端とフィードトレイ４の内底面との間に所要の隙間を形成できるようにする。
【００１５】
詳述すると、上記シール用扉体２２は、ホッパ３の幅方向の全長に亘る平板形状としてあり、ホッパ３の後部スカート１９の後側近傍位置に、該後部スカート１９と平行に配置すると共に、ホッパ３の後端部における左右の外側壁よりそれぞれ後方へ所要寸法突出するよう設置してある左右の支持部材２３の対向面部に取り付けたガイド部材、たとえば、該各支持部材２３の上部位置及び下部位置にそれぞれ一組ずつ設置してある前後一対のガイドローラ２４に、上記シール用扉体２２の両側辺部を上下方向にスライド自在にガイドさせるようにしてある。
【００１６】
更に、上記シール用扉体２２の上下方向中間部に臨む後方位置に、水平方向に延び且つ長手方向の中間部所要位置に後述する扉体昇降用のカム２５を一体に取り付けてなる２本のカム軸２６，２７を上下に並べて配置して、該各カム軸２６，２７の両端部を、上記左右の各支持部材２３にそれぞれ回転自在に支持させ、上部カム軸２６のカム２５の上側位置と、下部カム軸２７のカム２５の下側位置に、対応するカム２５にローラ２８を介してそれぞれ当接する上下のカムシート２９，３０を配置すると共に、該各カムシート２９，３０を、上記シール用扉体２２の後側面における対応する位置にそれぞれ一体に取り付ける。更に又、上記各カム軸２６，２７の長手方向における上記カム２５やカムシート２９，３０と干渉しない所要位置に、上下方向に対応するよう同様のスプロケット３１をそれぞれ一体に取り付けて、該各スプロケット３１に無端状のチェーン３２を掛け回し、且つ下部カム軸２７の長手方向におけるカム２５やカムシート３０あるいはスプロケット３１と干渉しない所要位置に一体に取り付けたスプロケット３３と、レシプロフィーダＩのメインシャフト７の中間部にて上記スプロケット３３と対応する位置に一体に取り付けた上記スプロケット３３と同様のスプロケット３４に、無端状のチェーン３５を掛け回した構成としてあり、駆動装置１６より減速機１２を経て伝達される回転駆動力によりメインシャフト７が回転駆動され、このメインシャフト７の回転運動によりクランク機構８を介してフィードトレイ４が前後方向へ往復移動させられるときに、上記メインシャフト７よりスプロケット３３，３４及びチェーン３５を介して伝達される回転駆動力により、下部カム軸２７を回転駆動させると共に、該下部カム軸２７よりスプロケット３１及びチェーン３２を介して伝達される回転駆動力により上部カム軸２６を回転駆動できるようにしてあり、この際、上記スプロケット３３と３４を同様とし、且つ上下の各カム軸２６，２７のスプロケット３１を同様としてあることによって、上記メインシャフト７を介して、フィードトレイ４の前後方向の往復移動と、上部及び下部の各カム軸２６，２７の回転を同期させることができるようにしてある。
【００１７】
上記各カム軸２６，２７のカム２５は、図１（ロ）に示す如く、周方向の半周部分を大径部２５ａとし且つ残りの半周部分を小径部２５ｂとし、該大径部２５ａと小径部２５ｂの径の差を、扉体２２の昇降に所望するストロークと対応させるようにしてあり、該各カム２５は、上記フィードトレイ４の前進移動時には、大径部２５ａが上部に且つ小径部２５ｂが下部に配置されるようにすると共に、フィードトレイ４の後退移動時には、大径部２５ａが下部に且つ小径部２５ｂが上部に配置されるよう、それぞれ対応するカム軸２６，２７に同位相となるように取り付けてある。なお、上記各カム２５における大径部２５ａと小径部２５ｂとの境界部分は、対応するカムシート２９，３０がローラ２８を介して滑らかに追従できるように滑らかに連続させた形状としてある。
【００１８】
その他、図４（イ）（ロ）及び図５に示したものと同一のものには同一符号が付してある。
【００１９】
上記構成としてある本発明のレシプロフィーダ後部のシール装置を装備してなるレシプロフィーダＩを使用する場合は、従来と同様に、駆動装置１６を運転させると、該駆動装置１６より減速機１２を経て伝達される回転駆動力によりメインシャフト７が回転駆動され、このメインシャフト７の回転運動に伴って、クランク機構８を介してフィードトレイ４が前後方向へ往復運動させられる。この際、図１（イ）（ロ）に示す如く、上記フィードトレイ４が後退させられるときには、上記メインシャフト７の回転に同期して上部と下部の各カム軸２６，２７がチェーン駆動により回転させられて、該各カム軸２６，２７上のカム２５は、大径部２５ａが下部に且つ小径部２５ｂが上部に配置されるよう回転させられるため、下部カム軸２７のカム２５の下側に接する下部カムシート３０が押し下げられ、このカムシート３０の押し下げに伴って、シール用扉体２２が、該扉体２２の下端が上記フィードトレイ４の内底面に接触するように押し下げられる。
【００２０】
一方、図３（イ）（ロ）に示す如く、上記フィードトレイ４が前進させられるときには、上記メインシャフト７の回転に同期してチェーン駆動される各カム軸２６，２７上のカム２５が、小径部２５ｂが下部に且つ大径部２５ａが上部に配置されるように回転させられるため、上部カム軸２６のカム２５の上側に接する上部カムシート２９が押し上げられ、この上部カムシート２９と一体にシール用扉体２２が押し上げられて、該扉体２２の下端部と、フィードトレイ４の内底面との間に、所要の隙間が形成される。
【００２１】
したがって、ホッパ３に投入されて、一旦該ホッパ３内に貯留されている搬送対象物２０は、上記フィードトレイ４が前進するときに、上記ホッパ３内より所要量ずつフィードトレイ４上に落下させられて載置され、その後、フィードトレイ４が後退するときには、ホッパ３の後部スカート１９と、該ホッパ３の後部スカート１９の後側近傍位置にて上記フィードトレイ４の内底面に接触させられているシール用扉体２２により、上記フィードトレイ４上の搬送対象物２０が該フィードトレイ４と一緒に後退することが阻止されるため、上記搬送対象物２０は、フィードトレイ４の前後方向への往復運動により徐々に前方へ搬送されて、該フィードトレイ４の前端部より、該フィードトレイ４の前端部の下方位置に配置してある図示しない下流側機器へ落下供給させられるようになる。
【００２２】
上記フィードトレイ４の後退時に、フィードトレイ４の内底面に付着した搬送対象物が、たとえ、該フィードトレイ４の内底面と該内底面に接するシール用扉体２２の下端部との間を通って該扉体２２よりも後方へ移動したとしても、その後、再びフィードトレイ４が前進するときには、上述した図１（イ）（ロ）の場合と同様にして、シール用扉体２２とフィードトレイ４の内底面との間に所要の隙間が形成された状態とされるため、上記シール用扉体２２よりも後方へ一旦移動させられた搬送対象物２０は、上記シール用扉体２２とフィードトレイ４の内底面との間に形成される隙間を通してシール用扉体２２に阻害されることなく該扉体２２の前方位置まで戻されるため、シール用扉体２２の後側に溜まることはなく、したがって、搬送対象物２０がホッパ３の後部スカート１９よりも後方となるフィードトレイ４の後端部側へ漏れ出ることはほぼ防止される。
【００２３】
このように、上記本発明のレシプロフィーダ後部のシール装置によれば、レシプロフィーダＩによりホッパ３内の搬送対象物２０を所定量ずつ送り出すときに、該レシプロフィーダＩのフィードトレイ４上にて、ホッパ３の後部スカート１９よりも後方側へ搬送対象物２０が漏れ出ることをほぼ防止できることから、搬送対象物２０がホッパ３の後部スカート１９よりも後方となるフィードトレイ４の後端部に溜まる虞を未然に防止でき、このため、搬送対象物２０がフィードトレイ４の後側壁４ｂを越えて落下していた場合に必要とされていた床の清掃回数を削減することができる。又、フィードトレイ４の後側壁４ｂとホッパ３の後部スカート１９の後側面との間にて、フィードトレイ４の後端部に漏れ出た搬送対象物２０が圧縮されることを防止できることから、異常音の発生や、モータの電流値の上昇等の如き駆動装置１６の負荷が上昇する虞を防止することが可能になる。
【００２４】
なお、本発明は上記実施の形態のみに限定されるものではなく、ガイド部材は、シール用扉体２２を昇降自在にガイドすることができれば、該扉体２２の両側辺部を上下方向に沿ってガイドできるようにしたガイドレール等、ガイドローラ２４以外のいかなる機構のものを用いてもよいこと、シール用扉体２２の昇降移動をガイドするガイド部材やカム軸２６，２７は、ホッパ３の後端部に取り付けた支持部材２３にて支持させるものとして示したが、配置位置を固定できれば、レシプロフィーダＩの架台１に所要の支持部材を介して取り付けたり、ガイド部材とカム軸２６，２７をそれぞれ別の支持部材にて支持させる等、固定側の任意の個所に取り付けるようにしてもよいこと、扉体昇降用のカム２５を取り付けたカム軸２６，２７を２本設けた構成として示したが、メインシャフト７と同期して回転できるようにした１本のカム軸に取り付けたカム２５の上下両側に、シール用扉体２２の後側面側に取り付けてあるカムシート２９，３０を接触させて、上記１本のカム軸のカム２５の回転に伴って、シール用扉体２２を昇降させるようにしてもよいこと、メインシャフト７を回転駆動できれば、駆動装置１６や減速機１２の配置や、駆動装置１６からメインシャフト７までの動力伝達機構の配置及び構成はいかなる形式でもよく、駆動装置１６の出力軸１６ａ自体をメインシャフト７とする形式のレシプロフィーダＩにも適用できること、シール用扉体２２をフィードトレイ４の前進、後退に同期させて昇降できるようにすれば、シール用扉体２２をカム駆動させるためのカム２５のカム軸２６，２７を、メインシャフト７を経た動力伝達経路以外の動力伝達経路にて駆動装置１６より伝達される回転駆動力により回転駆動させるようにしたり、上記フィードトレイ４を前後方向に往復移動させるための駆動装置１６とは別の駆動装置により回転駆動させるさせるようにしてもよく、更には、カム駆動方式以外のいかなる昇降駆動機構によりシール用扉体２２を昇降させるようにしてもよいこと、上記実施の形態では、ホッパ３の後部スカート１９の後側近傍位置にてシール用扉体２２を昇降させることにより、フィードトレイ４の後端部側への搬送対象物２０の漏れを防止させるようにしたものを示したが、後部スカート１９自体をホッパ３に対して昇降できるようにする、つまり、上記後部スカート１９をホッパ３より切り離して別体とすると共に、このホッパ３と別体とした後部スカート部を、ホッパ３の下端開口３ａの後側位置にて、上記シール用扉体２２の昇降移動と同様に、フィードトレイ４の後退時は上記ホッパ３の後部スカート部の下端がフィードトレイ４の内底面に接するよう下降させ、一方、フィードトレイ４の前進時は上記ホッパ３の後部スカート部の下端とフィードトレイ４の内底面との間に所要の隙間が形成されるように上昇させることにより、搬送対象物２０のフィードトレイ４後端部側への漏れを防止させるようにしてもよいこと、その他本発明の要旨を逸脱しない範囲内において種々変更を加え得ることは勿論である。
【００２５】
【発明の効果】
以上述べた如く、本発明のレシプロフィーダ後部のシール装置によれば、ホッパの後部スカート部を、該ホッパの下方位置に設置してあるレシプロフィーダのフィードトレイの後進時には該フィードトレイの内底面と接する位置まで下降させ、上記フィードトレイの前進時には該フィードトレイの内底面より所要の隙間を隔てた上方位置まで上昇させるようにした構成、又は、ホッパの後部スカート部に沿わせてシール用扉体を昇降可能に備え、該シール用扉体を、該ホッパの下方位置に設置してあるレシプロフィーダのフィードトレイの後進時には該フィードトレイの内底面と接する位置まで下降させ、上記フィードトレイの前進時には該フィードトレイの内底面より所要の間隔を隔てた上方位置まで上昇させるようにした構成としてあるので、以下の如き優れた効果を発揮する。
（１）  レシプロフィーダのフィードトレイの前後方向への往復移動によりホッパ内の搬送対象物を所定量ずつ送り出すときに、フィードトレイの後退移動に同期して該フィードトレイの表面に接するよう下降する上記ホッパの後部スカート部又はシール用扉体により、該ホッパの後部スカート部又はシール用扉体よりも後方側へ搬送対象物が漏れ出ることをほぼ防止できる。
（２）  たとえ、フィードトレイの後進時に、該フィードトレイの内底面に付着した搬送対象物が、ホッパの後部スカート部又はシール用扉体と、フィードトレイ内底面との接触部分を通して該ホッパの後部スカート部又はシール用扉体の後方へ移動したとしても、その後のフィードトレイの前進時には、ホッパの後部スカート部又はシール用扉体が上昇させられてフィードトレイの内底面と所要の隙間が形成されるため、上記フィードトレイの後進時にホッパの後部スカート部又はシール用扉体の後方へ移動した搬送対象物は、上記隙間を通してホッパの後部スカート部又はシール用扉体に阻害されることなく該ホッパの後部スカート部又はシール用扉体の前方へ戻すことができる。
（３）  したがって、搬送対象物がフィードトレイの後端部に溜まる虞を未然に防止できることから、搬送対象物がフィードトレイの後側壁を越えて落下していた場合に必要とされていた床の清掃回数を削減することができる。
（４）  又、フィードトレイの前後方向への往復移動に伴ってフィードトレイの後端部に漏れ出た搬送対象物が圧縮されることを防止できることから、異常音の発生や、モータの電流値の上昇等の如き駆動装置の負荷が上昇する虞を防止することが可能になる。
（５）  駆動装置により回転駆動されるメインシャフトとフィードトレイの間に、該メインシャフトの回転運動をフィードトレイの往復運動に変換させるクランク機構が備えてあるレシプロフィーダの上記メインシャフトの回転により回転させられるカムによりホッパの後部スカート部又はシール用扉体を、昇降移動させるようにした構成とすることにより、フィードトレイの前後方向への往復移動に同期して扉体を昇降移動させるための機構を容易に構成することができる。
【図面の簡単な説明】
【図１】本発明のレシプロフィーダ後部のシール装置の実施の一形態を示すもので、（イ）は一部切断概略側面図、（ロ）は（イ）の扉体部分の拡大図である。
【図２】図１のＡ−Ａ方向矢視拡大図である。
【図３】図１の装置においてレシプロフィーダのフィードトレイを前進させるときの状態を示すもので、（イ）は概略切断側面図、（ロ）は（イ）の扉体部分の拡大図である。
【図４】レシプロフィーダの一例の概略を示すもので、（イ）は切断側面図、（ロ）は（イ）のＢ部の拡大図である。
【図５】図４のＣ−Ｃ方向矢視拡大図である。
【符号の説明】
Ｉ  レシプロフィーダ
３  ホッパ
４  フィードトレイ
７  メインシャフト
８  クランク機構
１６  駆動装置
１９  後部スカート
２２  シール用扉体
２５  カム
【図１】
2004315150.tif 000003
【図２】
2004315150.tif 000004
【図３】
2004315150.tif 000005
【図４】
2004315150.tif 000006
【図５】
2004315150.tif 000007